(57)【特許請求の範囲】
【請求項１】
ネイル印刷を行う印刷手段を備えるネイルプリント装置において、
複数の指の種類別にネイル印刷すべき互いに異なるデザインを割り当て設定するデザイン設定手段と、
指が挿入される指挿入部と、
前記指挿入部に挿入された指が、親指、人差し指、中指、薬指及び小指の何れであるかを、指の種類として検出する検出手段と、
前記デザイン設定手段によって、前記検出手段において検出された指の種類に割り当て設定されているデザインを、前記指挿入部に挿入された指の爪に印刷させる印刷制御手段と、
を備えていることを特徴とするネイルプリント装置。
【請求項２】
表示手段を備え、
前記デザイン設定手段は、前記複数の指の種類別にネイル印刷可能なデザインを前記表示手段に表示させる表示制御手段と、前記表示制御手段の制御による前記表示手段の表示に基づいて使用者が選択した前記複数の指の種類別に、ネイル印刷すべきデザインを割り当て設定する設定手段と、を備えていることを特徴とする請求項１に記載のネイルプリント装置。
【請求項３】
前記指挿入部に複数の指が挿入され、
前記検出手段は、前記指挿入部に挿入された前記複数の指の各々の種類を検出し、
前記印刷制御手段は、前記指挿入部に挿入された前記複数の指の各々の爪に、前記デザイン設定手段によって、前記検出手段により検出された前記複数の指の各々の種類に割り当て設定されているデザインを独立して印刷させる独立印刷制御手段を備えていることを特徴とする請求項１又は２に記載のネイルプリント装置。
【請求項４】
表示手段と、
予め定められている複数の指の種類とネイル印刷可能な互いに異なるデザインとを対応付けて記憶する記憶手段とを備え、
前記デザイン設定手段は、
前記記憶手段に記憶されている複数の指の種類に対応付けられたデザインを前記表示手段に表示させる表示制御手段と、
前記表示制御手段の制御により前記表示手段に表示された複数の指の種類に対応付けられたデザインの中で、複数の指の種類別に割り当てられたデザインを前記記憶手段に記憶させる記憶制御手段と、
を備えることを特徴とする請求項１に記載のネイルプリント装置。
【請求項５】
ネイル印刷を行う印刷手段を備えるネイルプリント装置によって実行されるネイルプリント方法において、
複数の指の種類別にネイル印刷すべき互いに異なるデザインを割り当て設定するデザイン設定工程と、
指挿入部に挿入された指が、親指、人差し指、中指、薬指及び小指の何れであるかを、指の種類として検出する検出工程と、
前記デザイン設定工程で、前記検出工程において検出された指の種類に割り当て設定されているデザインを、前記指挿入部に挿入された指の爪に印刷する印刷工程と、
を備えていることを特徴とするネイルプリント方法。
【請求項６】
前記デザイン設定工程は、前記複数の指の種類別にネイル印刷可能なデザインを表示する表示工程と、前記表示工程により表示されている前記複数の指の種類別に、ネイル印刷すべきデザインを割り当て設定する割り当て工程と、を備えることを特徴とする請求項５に記載のネイルプリント方法。
【請求項７】
前記検出工程は、前記指挿入部に複数の指が挿入されたとき、前記指挿入部に挿入された前記複数の指の各々の種類を検出し、
前記印刷工程は、前記指挿入部に挿入された前記複数の指の各々の爪に、前記デザイン設定工程で、前記検出工程により検出された前記複数の指の各々の種類に割り当て設定されているデザインを独立して印刷させる独立印刷工程を備えることを特徴とする請求項５又は６に記載のネイルプリント方法。
【請求項８】
前記デザイン設定工程は、
予め定められている複数の指の種類とネイル印刷可能なデザインとを対応付けて記憶している記憶手段をアクセスし、この記憶手段に記憶されている複数の指の種類に対応付けられたデザインを表示する表示工程と、
前記表示工程により表示された複数の指の種類に対応付けられたデザインの中で、複数の指の種類別に割り当てられたデザインを記憶させる記憶工程と、
を備えることを特徴とする請求項５に記載のネイルプリント方法。
【発明の詳細な説明】
【技術分野】
【０００１】
本発明は、ネイルプリント装置およびネイルプリント方法に関するものである。
【背景技術】
【０００２】
ネイルプリント装置は、印刷しようとする爪の指である印刷指を、装置本体に設けた載置台上に載置し、この印刷指の爪に印刷するプリンタ装置である。このネイルプリント装置として、使用者が、表示部に表示された複数のデザインの中から所望する１つのデザインを選択し、この選択された１つのデザインを複数の指の各爪に印刷するように構成されているものが知られている（例えば、特許文献１）。
【先行技術文献】
【特許文献】
【０００３】
【特許文献１】特表２００３−５３４０８３号公報
【発明の概要】
【発明が解決しようとする課題】
【０００４】
上記特許文献１に記載のネイルプリント装置によれば、１つのデザインを複数の指の各爪領域に印刷するため、装飾上の統一感を付与することができる。しかし、多種多様なデザインを各爪に印刷したいという使用者の要望には沿わないものとなっている。
【０００５】
本発明は、このような実情に鑑みてなされたもので、多種多様なデザインを各爪に印刷することができるネイルプリント装置およびネイルプリント方法を提供することを目的とする。
【課題を解決するための手段】
【０００６】
請求項１に記載のネイルプリント装置は、
ネイル印刷を行う印刷手段を備えるネイルプリント装置において、
複数の指の種類別にネイル印刷すべき互いに異なるデザインを割り当て設定するデザイン設定手段と、
指が挿入される指挿入部と、
前記指挿入部に挿入された指が、親指、人差し指、中指、薬指及び小指の何れであるかを、指の種類として検出する検出手段と、
前記デザイン設定手段によって、前記検出手段において検出された指の種類に割り当て設定されているデザインを、前記指挿入部に挿入された指の爪に印刷させる印刷制御手段と、
を備えていることを特徴とする。
【０００７】
請求項２に記載のネイルプリント装置は、請求項１に記載のネイルプリント装置であって、
表示手段を備え、
前記デザイン設定手段は、前記複数の指の種類別にネイル印刷可能なデザインを前記表示手段に表示させる表示制御手段と、前記表示制御手段の制御による前記表示手段の表示に基づいて使用者が選択した前記複数の指の種類別に、ネイル印刷すべきデザインを割り当て設定する設定手段と、を備えていることを特徴とする。 
【０００８】
請求項３に記載のネイルプリント装置は、請求項１又は２に記載のネイルプリント装置であって、
前記指挿入部に複数の指が挿入され、
前記検出手段は、前記指挿入部に挿入された前記複数の指の各々の種類を検出し、
前記印刷制御手段は、前記指挿入部に挿入された前記複数の指の各々の爪に、前記デザイン設定手段によって、前記検出手段により検出された前記複数の指の各々の種類に割り当て設定されているデザインを独立して印刷させる独立印刷制御手段を備えていることを特徴とする。
【０００９】
請求項４に記載のネイルプリント装置は、請求項１に記載のネイルプリント装置であって、
表示手段と、
予め定められている複数の指の種類とネイル印刷可能な互いに異なるデザインとを対応付けて記憶する記憶手段とを備え、
前記デザイン設定手段は、
前記記憶手段に記憶されている複数の指の種類に対応付けられたデザインを前記表示手段に表示させる表示制御手段と、
前記表示制御手段の制御により前記表示手段に表示された複数の指の種類に対応付けられたデザインの中で、複数の指の種類別に割り当てられたデザインを前記記憶手段に記憶させる記憶制御手段と、
を備えることを特徴とする。 
【００１１】
請求項５に記載のネイルプリント方法は、
ネイル印刷を行う印刷手段を備えるネイルプリント装置によって実行されるネイルプリント方法において、
複数の指の種類別にネイル印刷すべき互いに異なるデザインを割り当て設定するデザイン設定工程と、
指挿入部に挿入された指が、親指、人差し指、中指、薬指及び小指の何れであるかを、指の種類として検出する検出工程と、
前記デザイン設定工程で、前記検出工程において検出された指の種類に割り当て設定されているデザインを、前記指挿入部に挿入された指の爪に印刷する印刷工程と、
を備えていることを特徴とする。 
【００１２】
請求項６に記載のネイルプリント方法は、請求項５に記載のネイルプリント方法であって、
前記デザイン設定工程は、前記複数の指の種類別にネイル印刷可能なデザインを表示する表示工程と、前記表示工程により表示されている前記複数の指の種類別に、ネイル印刷すべきデザインを割り当て設定する割り当て工程と、を備えることを特徴とする。 
【００１３】
請求項７に記載のネイルプリント方法は、請求項５又は６に記載のネイルプリント方法であって、
前記検出工程は、前記指挿入部に複数の指が挿入されたとき、前記指挿入部に挿入された前記複数の指の各々の種類を検出し、
前記印刷工程は、前記指挿入部に挿入された前記複数の指の各々の爪に、前記デザイン設定工程で、前記検出工程により検出された前記複数の指の各々の種類に割り当て設定されているデザインを独立して印刷させる独立印刷工程を備えることを特徴とする。 
【００１４】
請求項８に記載のネイルプリント方法は、請求項５に記載のネイルプリント方法であって、
前記デザイン設定工程は、
予め定められている複数の指の種類とネイル印刷可能なデザインとを対応付けて記憶している記憶手段をアクセスし、この記憶手段に記憶されている複数の指の種類に対応付けられたデザインを表示する表示工程と、
前記表示工程により表示された複数の指の種類に対応付けられたデザインの中で、複数の指の種類別に割り当てられたデザインを記憶させる記憶工程と、
を備えることを特徴とする。 
【発明の効果】
【００１６】
本発明によれば、複数の指の種類別にネイル印刷したいデザインを割り当て設定しておき、この割り当て設定されたデザインを複数の指の種類別に独立して印刷することができる。したがって、多種多様なデザインを各爪に別個独立して印刷したいという使用者の要望に沿うことができる。
【図面の簡単な説明】
【００１７】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】図１のネイルプリント装置の要部である印刷指固定部を示した断面図で、印刷指として親指を除く４本の指を印刷指挿入部に挿入した際の固定態様を示している。
【図４】図１のネイルプリント装置の要部である印刷指固定部を示した断面図で、印刷指として親指を印刷指挿入部に挿入した際の固定態様を示している。
【図５】図１のネイルプリント装置の要部である印刷指固定部を示した断面図で、印刷指として親指を印刷指挿入部に挿入した際の他の固定態様を示している。
【図６】図２における装置本体を正面側から見た場合の断面図である。
【図７】図２における装置本体を右側から右側面側から見た場合の断面図である。
【図８】図１のネイルプリント装置を示したブロック図である。
【図９】ＲＯＭのメモリ構成図である。
【図１０】ＲＡＭのメモリ構成図である。
【図１１】操作盤と表示部の初期画面とを示す図である。
【図１２】ネイル印刷処理のフローチャートである。
【図１３】操作盤と表示部のデザイン選択画面とを示す図である。
【図１４】ネイル印刷処理の結果の一例を示す図である。
【図１５】ネイル印刷処理の結果の他例を示す図である。
【図１６】ネイル印刷処理の工程を示す図である。
【発明を実施するための形態】
【００１８】
以下に、本発明に係るネイルプリント装置の実施形態について図面を参照しながら説明する。
【００１９】
図１に示すように、このネイルプリント装置１は、ケース本体２及び蓋体４を備えている。このケース本体２及び蓋体４は、ケース本体２の上面後端部に設けたヒンジ３を介して、互いに連結されている。
【００２０】
上記ケース本体２は平面視で長円状に形成されている。このケース本体２の前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。このケース本体２の前面が開放された状態で、ネイルプリント装置１は使用される。また、ケース本体２の天板２ｆには後述する操作盤５２が設置されている。さらに、蓋体４の内面には表示部６０が設置されている。
【００２１】
また、図２に示すように、ケース本体２にはネイルプリント装置１の装置本体１０が収容されている。この装置本体１０は、印刷指固定手段を構成している印刷指固定部２０、撮影手段を構成している撮影部３０、印刷手段を構成している印刷部４０及び制御手段を構成している制御部５０（図８参照）及び表示部６０を備えている。これらのうち印刷指固定部２０、撮影部３０、印刷部４０及び制御部５０は機枠１１に設けられている。
なお、機枠１１は下部機枠１１ａ及び上部機枠１１ｂから構成されている。そして、下部機枠１１ａは箱状に形成され、ケース本体２の内部下方に設置されている。一方、上部機枠１１ｂは下部機枠１１ａの上方で且つケース本体２の内部上方に設置されている。
【００２２】
上記印刷指固定部２０は、機枠１１の中の下部機枠１１ａに設けられている。この印刷指固定部２０は、下部機枠１１ａに設けられた印刷指挿入部２０ａ、非印刷指挿入部２０ｂ及び掴み部２０ｃによって構成されている。
ここで、印刷指挿入部２０ａは、図３に示すように、印刷しようとする爪Ｔに対応する印刷指Ｕ１を挿入するめための指挿入部である。なお、図３では、親指を除く４本の印刷指Ｕ１を印刷指挿入部２０ａに挿入した状態を示しているが、この印刷指挿入部２０ａは、片手の指全部を印刷指Ｕ１として挿入可能な開口面積を有していてもよい。さらには、この印刷指挿入部２０ａは、両手の指全部を印刷指Ｕ１として挿入可能な開口面積を有していてもよい。要は、印刷挿入部２０ａは、複数の指が印刷指として挿入可能な開口面積を有することである。
また、非印刷指挿入部２０ｂは、印刷指以外の非印刷指Ｕ２を挿入するための指挿入部である。
また、掴み部２０ｃは、印刷指挿入部２０ａに挿入された印刷指Ｕ１と、非印刷指挿入部２０ｂに挿入された非印刷指Ｕ２とで挟持可能な部分である。この掴み部２０ｃは印刷指挿入部２０ａと非印刷指挿入部２０ｂとを仕切る隔壁２１によって構成されている。
なお、上記非印刷指挿入部２０ｂ及び上記掴み部２０ｃを設けなくてもよいが、これらを設けることは、印刷指Ｕ１を固定するためには極めて有効である。
【００２３】
上記隔壁２１の上面は平坦な印刷指載置面を構成している。この印刷指載置面は印刷指を載置するためのものである。この印刷指載置面は、上記非印刷指挿入部２０ｂ及び上記掴み部２０ｃを設けない場合には、上記印刷指挿入部２０ａの床面によって構成されることになる。
この隔壁２１の指挿入側端部には膨出部２２が形成されている。この膨出部２２は、印刷指挿入部２０ａ及び非印刷指挿入部２０ｂに印刷指Ｕ１及び非印刷指Ｕ２を振り分けて深く挿入した際に、印刷指Ｕ１及び非印刷指Ｕ２の付け根が当接する部分に形成されている。この膨出部２２は、印刷指Ｕ１と非印刷指Ｕ２とで隔壁２１（掴み部２０ｃ）を挟持する際に、印刷指Ｕ１と非印刷指Ｕ２との付け根で包持されるものである。ここで「包持」とは、印刷指Ｕ１と非印刷指Ｕ２との付け根が当接し、膨出部２２を掴めることである。この膨出部２２の包持によって、手首の左右の振れや上下の振れが抑制されて、手先を安定させることができる。この膨出部２２は、図３から図５に示すように、指の挿入方向に沿った断面で見た場合（側面視で）、隔壁２１の下面から下方に向けて膨出するように円形となっている。なお、膨出部２２の形状は、断面円形に限定されることなく、断面楕円形，断面多角形等の非円形であってもよい。要は、印刷指Ｕ１と非印刷指Ｕ２との付け根で包持される形状であればよい。  なお、膨出部２２の大きさ、すなわち、隔壁２１の厚み方向の厚みは、印刷指Ｕ１と非印刷指Ｕ２との付け根が膨出部２２に十分に当接するように、１〜２ｃｍ程度が好ましく、隔壁２１の厚みは、指先の腹が隔壁２１にしっかりと圧接できるように、膨出部２２の厚みよりも０．５〜１ｃｍ程度小さいことが好ましい。
【００２４】
図３には複数の指を印刷指とする場合の固定態様の一例が示されている。
例えば、親指以外の４本の指を印刷指Ｕ１とする場合、親指以外の４本の印刷指Ｕ１が平面的に並んだ状態で印刷指挿入部２０ａに挿入され、非印刷指Ｕ２である親指が非印刷指挿入部２０ｂに挿入される。そして、印刷指Ｕ１と非印刷指Ｕ２とで掴み部２０ｃを挟持することで印刷指Ｕ１が掴み部２０ｃに強固に固定される。この場合、人差し指と親指との付け根或いは手のひらで膨出部２２を抱持すれば、手先が安定するので、印刷指Ｕ１の固定がより確実となる。
【００２５】
また、図４には１本の指を印刷指とする場合の固定態様の一例が示されている。
例えば、親指を印刷指Ｕ１ａとする場合、印刷指Ｕ１ａである親指が印刷指挿入部２０ａに挿入され、親指以外の４本の非印刷指Ｕ２ａが平面的に並んだ状態で非印刷指挿入部２０ｂに挿入される。そして、印刷指Ｕ１ａと非印刷指Ｕ２ａとで掴み部２０ｃを挟持することで印刷指Ｕ１ａが固定される。この場合も、人差し指と親指との付け根で膨出部２２を抱持すれば、手先が安定するので、印刷指Ｕ１ａの固定がより確実となる。
また、図５には親指を印刷指Ｕ１ａとする場合の固定態様の他例が示されている。
ここでは、印刷指Ｕ１ａである親指が印刷指挿入部２０ａに挿入され、親指以外の４本の非印刷指Ｕ２ａが上下方向に重ね合わさった状態で非印刷指挿入部２０ｂに挿入される。そして、印刷指Ｕ１ａと非印刷指Ｕ２ａである人差し指とで掴み部２０ｃを挟持することで印刷指Ｕ１ａが固定される。この場合も、人差し指と親指との付け根部分で膨出部２２を抱持すれば、手先が安定するので、印刷指Ｕ１ａの固定がより確実となる。
なお、図４及び図５では、１本の指を印刷指とする例として、印刷指Ｕ１ａである親指を１本だけ印刷指挿入部２０ａに挿入する場合を示したが、人差し指、中指又は薬指の中の１本を印刷指挿入部２０ａに挿入してもよい。また、図４及び図５の説明では印刷指をＵ１ａ、非印刷指をＵ２ａとしているが、印刷指及び非印刷指を総称する場合には符号Ｕ１及びＵ２を用いるものとする。
【００２６】
次に、撮影部３０について説明する。この撮影部３０は、図２、図６及び図７に示すように、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。この撮影部３０は、このカメラ３２及び照明灯３３を含んで構成されている。この撮影部３０は、照明灯３３によって印刷指Ｕ１を照明し、カメラ３２によってその印刷指Ｕ１を撮影し、指画像データを取り込むためのものである。この撮影部３０は、後述する制御部５０の制御装置５１に接続され、該制御装置５１によって制御される。
この撮影部３０は複数の指を検出可能な検出手段を構成している。
【００２７】
また、印刷部４０は、図２、図６及び図７に示すように、機枠１１に設けられている。
すなわち、上部機枠１１ｂの両側板に２本のガイドロッド４１が平行に架設されている。このガイドロッド４１には、主キャリッジ４２が摺動自在に設置されている。また、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部に印刷ヘッド４６が搭載されている。
そして、主キャリッジ４２は動力伝達部（図示せず）を介してモータ４３に連結され、モータ４３の正逆回転によって、ガイドロッド４１に沿って左右方向に移動する。また、副キャリッジ４５は動力伝達部（図示せず）を介してモータ４７に連結され、モータ４７の正逆回転によって、ガイドロッド４４に沿って前後方向に移動する。この主キャリッジ４２及び副キャリッジ４５の移動と、印刷反吐４６からのインクの吐出とによって、印刷指挿入部２０ａに挿入された印刷指Ｕ１の爪Ｔへの印刷が可能となる。
なお、印刷ヘッド４６にインクを供給するためのインクカートリッジ４８は下部機枠１１ａに設けられている。
印刷部４０は、これらガイドロッド４１、主キャリッジ４２、モータ４３、ガイドロッド４４、副キャリッジ４５、印刷ヘッド４６、モータ４７及びインクカートリッジ４８等を含んで構成されている。
【００２８】
また、制御部５０は上部機枠１１ｂに設けられている。この制御部５０は、図８に示すように、基板３１に設置された制御装置５１によって構成されている。
この制御装置５１は、図示しないＣＰＵ（Central Processing Unit）、ＲＯＭ５１Ｃ−１（Read Only Memory）、ＲＡＭ５１Ｃ−２（Random Access Memory）等を備えるコンピュータである。
【００２９】
この制御装置５１は、機能的に見た場合、指別にネイル印刷すべき文字または絵柄等（ネイル画像を含む）の一つ、またはこれらの組み合わせからなるデザイン（以下単に「デザイン」という。）を割り当て設定するデザイン設定部５１ａと、デザイン設定部５１ａによって割り当て設定されたデザインを指別に独立して印刷させる印刷制御部５１ｂとを備える。このデザイン設定部５１ａ及び印刷制御部５１ｂとしての機能は、ＣＰＵとＲＯＭ５１Ｃ−１に記憶されたプログラムとの共働によって実現される。ここで、デザイン設定部５１ａは、後述する制御盤５２等とともにデザイン設定手段を構成している。また、印刷制御部５１ｂは印刷制御手段を構成している。
また、制御装置５１は、機能的に見た場合、指の種類と、印刷可能なデザインとを記憶するとともに、デザイン設定部５０ａによって割り当て設定されたデザインを指と対応付けて記憶する記憶手段としての記憶部５１ｃを備える。この記憶部５１ｃとしての機能はＲＯＭ５１Ｃ−１やＲＡＭ５１Ｃ−２によって実現される。
なお、デザイン設定部５１ａは、各指に対応付け可能なデザインを後述の表示手段としての表示部６０に表示させる表示制御手段としての表示制御部５１ａ−１を備え、表示部６０の表示内容に基づいて使用者が選択したデザインを割り当て設定する。この表示制御部５１ａ−１としての機能はＣＰＵとＲＯＭ５１Ｃ−１に記憶されたプログラムとの共働によって実現される。
【００３０】
続いて、制御装置５１が備えるＲＯＭ５１Ｃ−１及びＲＡＭ５１Ｃ−２について説明する。
ＲＯＭ５１Ｃ−１には印刷処理プログラム等のプログラムが格納され、このプログラムが制御装置５１によって実行されることによって、ネイルプリンタ装置１の各部が統括制御される。
また、ＲＯＭ５１Ｃ−１には印刷可能なデザインに対応するデータが記憶されている。
例えば、図９に示すように、ＲＯＭ５１Ｃ−１の記憶領域５１１は、指種類エリア５１１Ａ、指番号エリア５１１Ｂ、各指に印刷可能な文字エリア５１１Ｃ、及び、絵柄等エリア５１１Ｄを備えており、これらのエリアに、指種類、指番号、文字及び絵柄等の各データが記憶されている。このうち指種類と指番号とのデータは１対１で対応している。ここでは、右手について、親指が指番号１、人差し指が指番号２、中指が指番号３、薬指が指番号４、小指が指番号５に設定されている。なお、ここでは図示されていないが、左手については、親指が指番号６、人差し指が指番号７、中指が指番号８、薬指が指番号９、小指が指番号１０に設定されている。
同図の上覧５１１ａは、指別任意デザインのデータを示している。この指別任意デザインのデータとして、ここでは、各指について各種の文字及び絵柄のデータが用意されている。具体的には、各種の文字のデータとして、ひらがな、カタカナ、漢字、記号のデータが用意され、また、各種の絵柄のデータとして、各種絵柄等に対応するＤ１からＤｎのネイル画像のデータが用意されている。また、同図の下覧５１１ｂは、指別固定デザインのデータを示している。この指別固定デザインとして、ここではＤ１からＤ４の絵柄等のデータが用意されている。具体的には、指番号１の親指にＤ１（ハート）のデータ、指番号２の人差し指にＤ２（顔）のデータ、指番号３の中指にＤ３（太陽）のデータ、指番号４の薬指にＤ４（月）のデータ、指番号５の小指にＤ１（ハート）のデータが予め対応付けられた状態で用意されている。
【００３１】
上記ＲＡＭ５１Ｃ−２の記憶領域５１２には、図１０に示すように、操作盤５２から入力された情報に基づいて、ＲＯＭ５１Ｃ−１の記憶領域５１１に予め記憶されている印刷可能なデザインデータの中から印刷すべきデザインデータが選択されて記憶される。
ＲＡＭ５１Ｃ−２の記憶領域５１２には、図１０に示すように、指種類、指番号、文字、絵柄等、爪領域画像及び座標が対応付けられて記憶される。このＲＡＭ５１Ｃ−２の記憶領域５１２の第１欄５１２ａ、第２欄５１２ｂ、第３欄５１２ｃ、第４欄５１２ｄには、過去に、選択されたデザイン情報も含まれている。
図１０の第１欄５１２ａおよび第２欄５１２ｂに限り説明を行えば、図１０の第１欄５１２ａには、指番号１の親指に「ド」のデータ、指番号２の人差し指に「レ」のデータ、指番号３の中指に「ミ」のデータ、指番号４の薬指に「ファ」のデータ、指番号５の小指に「ソ」のデータが記憶されている例を示す。
また、図１０の第２欄５１２ｂには、指番号１の親指にＤ１（ハート）のデータ、指番号２の人差し指にＤ２（顔）のデータ、指番号３の中指にＤ３（太陽）のデータ、指番号４の薬指にＤ４（月）のデータ、指番号５の小指にＤ１（ハート）の画像が記憶されている例を示す。
なお、ＲＡＭ５１Ｃ−２の記憶領域５１２には、ＲＯＭ５１Ｃ−１の記憶領域５１１に記憶されたデザインデータから選択されたデザインデータのみならず、後に、使用者によって追加された新たなデザインデータを記憶しておいてもよい。
【００３２】
次に、操作盤５２及び表示部６０を図１１に基づいて説明する。
操作盤５２は、ケース本体２の天板２ｆに設けられている。この操作盤５２には、文字入力キー５２ａ、選択キー５２ｂ、印刷キー５２ｃ、停止キー５２ｄ、両手キー５２ｅ、カーソルキー５２ｆ及び決定キー５２ｇが設けられている。
ここで、文字入力キー５２ａ、選択キー５２ｂ又はカーソルキー５２ｆは、印刷すべきデザインの選択等に使用されるキーである。また、決定キー５２ｇは、文字入力キー５２ａ、選択キー５２ｂ又はカーソルキー５２ｆによって選択されたデザインを確定等するためのキーである。また、印刷キー５２ｃは、印刷処理の開始のためのトリガとなるキーである。また、停止キー５２ｄは、印刷処理を停止させる際に使用されるキーである。また、両手キー５２ｅは、印刷すべき印刷指が両手に亘る場合に使用されるキーである。この両手キー５２ｅが操作された後印刷キー５２ｃが操作されると、タイマーが作動して、所定時間経過後に印刷処理が開始される。
また、表示部６０は、印刷処理を行う際に各種表示を行うものである。この表示部６０は特に限定はされないが液晶パネルによって構成されている。図１１の表示部６０には印刷処理の初期画面が表示されている。この初期画面は、図示しない電源スイッチをＯＮとした後に印刷キー５２ｃ又は両手キー５２ｄを操作した際に表れる。なお、この表示部６０は液晶タッチパネルによって構成されていてもよい。
【００３３】
次に、上記ネイルプリント装置１における印刷処理の流れを制御装置５１の働きを中心に図１２のフローチャート及び図１６の工程図に基づいて説明する。
電源スイッチがＯＮの状態で印刷キー５２ｃが操作されると、制御装置５１は、デザインモード選択画面を表示部６０に表示させる。このデザインモード選択画面には、図１１に示すように、指別任意デザインモードと指別固定デザインとを選択させるためのプッシュボタンＰ１，Ｐ２が表示される。この状態で、使用者がカーソルキー５２ｆの操作し、これらプッシュボタンＰ１，Ｐ２のうちの１つにポインタを合わせ、決定キー５２ｇを操作することによってデザインモードを選択する。
制御装置５１は、指別任意デザインモードか否かを判断する（ステップＳ１）。
この場合、制御装置５１は、指別任意デザインモードであると判断すると（ステップＳ１でＹＥＳの場合）、ＲＯＭ５１Ｃ−１の記憶領域５１１から一覧データを読み出して、図１３に示すように、指種類、指番号、デザイン（文字及び絵柄等）の一覧画面を表示させるとともに、印刷したいデザインの選択を催促する画面を表示部６０に表示させ、さらに手形画像を表示部６０に表示させる（ステップＳ２）。このステップＳ２までの工程は図１６の表示工程Ｋ１である。
次に、使用者はカーソルキー５２ｆ及び決定キー５２ｇを操作し、指種類、指番号及びデザインを選択する。制御装置５１は、このカーソルキー５２ｆ及び決定キー５２ｇの操作がなされたと判断すると（ステップＳ３でＹＥＳの場合）、選択された指種類、指番号及びデザインをＲＡＭ５１Ｃ−２に記憶する（ステップＳ４）。すなわち、指の種類毎にデザインが割り当てられる。このステップＳ３及びＳ４の工程が図１６の割り当て工程Ｋ２である。なお、制御装置５１は、ステップＳ３でＮＯの場合にはステップＳ２の処理に戻る。
ステップＳ１からステップＳ５までの工程が図１６のデザイン設定工程Ｋである。
次に、制御装置５１は、印刷指挿入部２０ａへの右手の全指の挿入を催促する画面を表示部６０に表示させる（ステップＳ５）。使用者は、この挿入催促に従って、印刷指挿入部２０ａに右手の全指を挿入する。
すると、制御装置５１は撮影部３０に右手の全指を撮影させ（図１６の検出工程Ｋ３）、この撮影部３０を通じて得られた画像テータに基づき該右手の各指の種類を検出し、該各指の情報（爪領域画像及び座標等）をＲＡＭ５１Ｃ−２の記憶領域５１２に記憶するとともに、各指の爪部の爪領域を検出し、爪領域の情報をＲＡＭ５１Ｃ−２の記憶領域５１２に記憶する（図１６の記憶工程Ｋ４：ステップＳ６）。
次に、制御装置５１は、右手の全指について指の種類と爪領域の情報とをＲＡＭ５１Ｃ−２の記憶領域５１２に記憶したら（ステップＳ７でＹＥＳの場合）、図１４に示すように、指別に割り当てられたデザインを各指の爪領域に印刷させ（図１６の印刷工程Ｋ５：ステップＳ８）、ネイル印刷処理を終了する。
ここで、図１４に示すデザインはピアノ等の鍵盤楽器に対応した音階であり、指番号１の親指Ｆ１の爪領域Ｔ１に「ド」の文字データＭ１、指番号２の人差し指Ｆ２の爪領域Ｔ２に「レ」の文字データＭ２、指番号３の中指Ｆ３の爪領域Ｔ３に「ミ」の文字データＭ３、指番号４の薬指Ｆ４の爪領域Ｔ４に「ファ」の文字データＭ４、指番号５の小指Ｆ５の爪領域Ｔ５に「ソ」の文字データＭ５が音階として印刷された例を示す。
このように、音階の「ド」〜「ソ」を各指の爪領域Ｔ１〜Ｔ５に印刷しておくことで、ピアノなどの鍵盤楽器の演奏を楽に行うことができる。
なお、制御装置５１は、ステップＳ７でＮＯの場合にはステップＳ６の処理に戻る。
【００３４】
一方、制御装置５１は、上記ステップＳ１で指別固定デザインモードでない場合（ステップＳ１でＮＯの場合）、指別固定デザインモードとなり（図１６のデザイン設定工程）、右手の全指を指挿入部内に挿入催促の画面を表示部６０に表示させる（ステップＳ１１）。使用者は、この挿入催促に従って、印刷指挿入部２０ａに右手の全指を挿入する。
すると、制御装置５１は撮影部３０に右手の全指を撮影させ（図１６の検出工程Ｋ３）、この撮影部３０を通じて得られた指画像の外形形状等に基づき該片手の各指の種類を検出し、各指の情報をＲＡＭ５１Ｃ−２の記憶領域５１２に記憶するとともに、各指の爪部の爪領域を検出し、爪領域の情報（爪領域画像及び座標等）をＲＡＭ５１Ｃ−２の記憶領域５１２に記憶する（図１６の記憶工程Ｋ４：ステップＳ１２）。
次に、制御装置１は、片手の全指について指の種類と爪領域の情報とをＲＡＭ５１Ｃ−２の記憶領域５１２に記憶したら（ステップＳ１３でＹＥＳの場合）、図１５に示すように、予め指別に割り当てられたデザインを各指の爪領域に印刷させ（図１６の印刷工程Ｋ５：ステップＳ１４）、ネイル印刷処理を終了する。
図１５に示すデザインは、指番号１の親指Ｆ１の爪領域Ｔ１に「ハート」の絵柄画像Ｄ１、指番号２の人差し指Ｆ２の爪領域Ｔ２に「顔」の絵柄画像Ｄ２、指番号３の中指Ｆ３の爪領域Ｔ３に「太陽」の絵柄画像Ｄ３、指番号４の薬指Ｆ４の爪領域Ｔ４に「月」の絵柄画像Ｄ４、指番号５の小指Ｆ５の爪領域Ｔ５に「ハート」の絵柄画像Ｄ１が印刷された例を示す。
このように、各種の絵柄画像Ｄ１〜Ｄ４，Ｄ１を独立した各指の爪領域Ｔ１〜Ｔ５に印刷しておくことで、特徴のある指先を楽しむことができる。
なお、制御装置５１は、ステップＳ３でＮＯの場合にはステップＳ２の処理に戻る。 
【００３５】
以上が、右手のネイル印刷処理であるが、左手も同様にしてネイル印刷処理される。なお、両手を印刷指挿入部２０ａに挿入する場合には、両手キー５２ｃを押した後に印刷キー５２ｇを押すと、１０秒後にステップＳ１からの処理が開始される。
【００３６】
以上のネイルプリント装置１によれば次のような効果が得られる。
複数の指の種類別にネイル印刷したいデザインを割り当て設定しておき、この割り当て設定されたデザインを複数の指の種類別に独立して印刷させることができる。したがって、多種多様なデザインを各爪に別個独立して印刷したいという使用者の要望に沿うことができる。
また、実際の複数の指の種類を検出し、この検出された複数の指の種類別にネイル印刷すべきデザインを割り当て、この割り当てられたデザインを、検出された実際の複数の指別に独立して印刷させることができる。したがって、多種多様なデザインを各爪に別個独立して印刷したいという使用者の要望に沿うことができる。
【００３７】
以上、本発明の実施形態について説明したが、本発明は、かかる実施形態に限定されず、その要旨を逸脱しない範囲で、種々変形が可能であることは言うまでもない。
例えば、上記実施形態では、デザイン設定工程の後に検出工程が実行されているが、検出工程を先にし、実際に検出した指別にデザインを設定してもよい。
【符号の説明】
【００３８】
１    ネイルプリント装置
２    ケース本体
４    蓋体
２０ａ    印刷指挿入部
２０ｂ    非印刷指挿入部
２０ｃ    掴み部（隔壁）
２０    印刷指固定部
３０    撮影部
３２    カメラ
３３    照明灯（ＬＥＤ）
４０    印刷部
５０    制御部
５１    制御装置
５１ａ    デザイン設定部
５１ａ−１    表示制御部
５１ｂ    印刷制御部
５１ｃ    記憶部
【図１】
0005601050.tif 000002
【図２】
0005601050.tif 000003
【図３】
0005601050.tif 000004
【図４】
0005601050.tif 000005
【図５】
0005601050.tif 000006
【図６】
0005601050.tif 000007
【図７】
0005601050.tif 000008
【図８】
0005601050.tif 000009
【図９】
0005601050.tif 000010
【図１０】
0005601050.tif 000011
【図１１】
0005601050.tif 000012
【図１２】
0005601050.tif 000013
【図１３】
0005601050.tif 000014
【図１４】
0005601050.tif 000015
【図１５】
0005601050.tif 000016
【図１６】
0005601050.tif 000017